(57)【要約】【課題】ユーザの満足度の低下を抑制しつつ、課金の対象となる移動手段であるスポンサードルートをユーザに提供可能にすること。【解決手段】本願に係る提供装置は、提供部を有する。提供部は、所定の出発点と所定の到着点との間の移動区間に対応する複数の移動手段を所定の方向に並べた一覧を表示する端末装置に、移動区間に関して課金の対象となる移動手段であるスポンサードルートであって、一覧において複数の移動手段とともに表示されるスポンサードルートを提供する。【選択図】図３
2018151861.tif 000002
【特許請求の範囲】
【請求項１】
所定の出発点と所定の到着点との間の移動区間に対応する複数の移動手段を所定の方向に並べた一覧を表示する端末装置に、前記移動区間に関して課金の対象となる移動手段であるスポンサードルートであって、前記一覧において前記複数の移動手段とともに表示されるスポンサードルートを提供する提供部、
を備えたことを特徴とする提供装置。
【請求項２】
前記提供部は、
前記一覧において前記複数の移動手段とは異なる表示態様により表示される前記スポンサードルートを、前記端末装置に提供する
ことを特徴とする請求項１に記載の提供装置。
【請求項３】
前記端末装置から移動区間の検索クエリを取得する取得部、
をさらに備え、
前記提供部は、
前記検索クエリに対応する前記移動区間の前記スポンサードルートを前記端末装置に提供する
ことを特徴とする請求項１または請求項２に記載の提供装置。
【請求項４】
前記提供部は、
前記スポンサードルートが前記検索クエリにより抽出される移動手段群に関する所定の条件を満たす場合、前記スポンサードルートを前記端末装置に提供する
ことを特徴とする請求項３に記載の提供装置。
【請求項５】
前記提供部は、
前記検索クエリにより抽出される移動手段群に前記スポンサードルートが含まれる場合、前記スポンサードルートを前記端末装置に提供する
ことを特徴とする請求項４に記載の提供装置。
【請求項６】
前記提供部は、
前記検索クエリにより抽出される移動手段群のうち、所定の順位以内の移動手段を含む部分移動手段群に前記スポンサードルートが含まれる場合、前記スポンサードルートを前記端末装置に提供する
ことを特徴とする請求項５に記載の提供装置。
【請求項７】
前記提供部は、
前記移動区間に関して入札された入札移動手段を前記スポンサードルートとして提供する
ことを特徴とする請求項１〜６のいずれか１項に記載の提供装置。
【請求項８】
前記移動区間に関して入札された複数の入札移動手段のうち、各入札移動手段の入札額に基づいて、前記端末装置に提供する入札移動手段を決定する決定部、
をさらに備え、
前記提供部は、
前記決定部により決定された入札移動手段を前記端末装置に提供する
ことを特徴とする請求項７に記載の提供装置。
【請求項９】
前記決定部は、
前記各入札移動手段の入札額に基づいて算出されるスコアを用いて、前記端末装置に提供する入札移動手段を決定する
ことを特徴とする請求項８に記載の提供装置。
【請求項１０】
コンピュータが実行する提供方法であって、
所定の出発点と所定の到着点との間の移動区間に対応する複数の移動手段を所定の方向に並べた一覧を表示する端末装置に、前記移動区間に関して課金の対象となる移動手段であるスポンサードルートであって、前記一覧において前記複数の移動手段とともに表示されるスポンサードルートを提供する提供工程、
を含むことを特徴とする提供方法。
【請求項１１】
所定の出発点と所定の到着点との間の移動区間に対応する複数の移動手段を所定の方向に並べた一覧を表示する端末装置に、前記移動区間に関して課金の対象となる移動手段であるスポンサードルートであって、前記一覧において前記複数の移動手段とともに表示されるスポンサードルートを提供する提供手順、
をコンピュータに実行させることを特徴とする提供プログラム。
【請求項１２】
ユーザが利用する端末装置から移動手段に関する情報要求を取得する取得部と、
移動区間に関して課金の対象となる移動手段であるスポンサードルート群のうち、前記取得部により取得された情報要求に対応するスポンサードルートを決定する決定部、
を備えたことを特徴とする決定装置。
【請求項１３】
コンピュータが実行する決定方法であって、
ユーザが利用する端末装置から移動手段に関する情報要求を取得する取得工程と、
移動区間に関して課金の対象となる移動手段であるスポンサードルート群のうち、前記取得工程により取得された情報要求に対応するスポンサードルートを決定する決定工程、
を含むことを特徴とする決定方法。
【請求項１４】
ユーザが利用する端末装置から移動手段に関する情報要求を取得する取得手順と、
移動区間に関して課金の対象となる移動手段であるスポンサードルート群のうち、前記取得手順により取得された情報要求に対応するスポンサードルートを決定する決定手順、
をコンピュータに実行させることを特徴とする決定プログラム。
【請求項１５】
所定の出発点と所定の到着点との間の移動区間に対応する複数の移動手段を所定の方向に並べた一覧において、前記移動区間に関して課金の対象となる移動手段であるスポンサードルートを、前記複数の移動手段とともに表示する表示部、
を備えたことを特徴とする端末装置。
【請求項１６】
端末装置が実行する表示方法であって、
所定の出発点と所定の到着点との間の移動区間に対応する複数の移動手段を所定の方向に並べた一覧において、前記移動区間に関して課金の対象となる移動手段であるスポンサードルートを、前記複数の移動手段とともに表示する表示工程と、
を含んだことを特徴とする表示方法。
【請求項１７】
所定の出発点と所定の到着点との間の移動区間に対応する複数の移動手段を所定の方向に並べた一覧において、前記移動区間に関して課金の対象となる移動手段であるスポンサードルートを、前記複数の移動手段とともに表示する表示手順と、
を端末装置に実行させることを特徴とする表示プログラム。
【発明の詳細な説明】
【技術分野】
【０００１】
本発明は、提供装置、提供方法、提供プログラム、決定装置、決定方法、決定プログラム、端末装置、表示方法、及び表示プログラムに関する。
【背景技術】
【０００２】
近年、例えば地図等のロケーションに関する情報とともに広告を表示する技術が提供されている。例えば、電車やバスなどの移動体を利用するユーザの携帯端末に対し、移動体の路線情報に基づき、行き先や停車位置に関連する広告情報を提供する技術が提供されている。
【先行技術文献】
【特許文献】
【０００３】
【特許文献１】特開２００５−２５００８１号公報
【発明の概要】
【発明が解決しようとする課題】
【０００４】
しかしながら、上記の従来技術ではユーザの満足度の低下を抑制しつつ、課金の対象となる移動手段であるスポンサードルートをユーザに提供することが難しい。例えば、単に行き先や停車位置に関連する広告情報をユーザに提供するだけでは、ユーザが移動に関連しない情報を閲覧している際などユーザにとって適切ではない提供態様となる場合がある。このような場合、ユーザの満足度の低下を抑制しつつ、課金の対象となる移動手段であるスポンサードルートをユーザに提供することが難しい。
【０００５】
本願は、上記に鑑みてなされたものであって、ユーザの満足度の低下を抑制しつつ、課金の対象となる移動手段であるスポンサードルートをユーザに提供可能にする提供装置、提供方法、提供プログラム、決定装置、決定方法、決定プログラム、端末装置、表示方法、及び表示プログラムを提供することを目的とする。
【課題を解決するための手段】
【０００６】
本願に係る提供装置は、所定の出発点と所定の到着点との間の移動区間に対応する複数の移動手段を所定の方向に並べた一覧を表示する端末装置に、前記移動区間に関して課金の対象となる移動手段であるスポンサードルートであって、前記一覧において前記複数の移動手段とともに表示されるスポンサードルートを提供する提供部、を備えたことを特徴とする。
【発明の効果】
【０００７】
実施形態の一態様によれば、ユーザの満足度の低下を抑制しつつ、課金の対象となる移動手段であるスポンサードルートをユーザに提供可能にすることができるという効果を奏する。
【図面の簡単な説明】
【０００８】
【図１】図１は、実施形態に係る提供処理の一例を示す図である。
【図２】図２は、実施形態に係る提供システムの構成例を示す図である。
【図３】図３は、実施形態に係る提供装置の構成例を示す図である。
【図４】図４は、実施形態に係るユーザ情報記憶部の一例を示す図である。
【図５】図５は、実施形態に係るスポンサードルート情報記憶部の一例を示す図である。
【図６】図６は、実施形態に係る提供処理の一例を示すフローチャートである。
【図７】図７は、実施形態に係る端末装置の構成例を示す図である。
【図８】図８は、実施形態に係る表示処理の一例を示すフローチャートである。
【図９】図９は、入札移動手段の表示の一例を示す図である。
【図１０】図１０は、実施形態に係る提供処理の一例を示す図である。
【図１１】図１１は、提供装置及び端末装置の機能を実現するコンピュータの一例を示すハードウェア構成図である。
【発明を実施するための形態】
【０００９】
以下に、本願に係る提供装置、提供方法、提供プログラム、決定装置、決定方法、決定プログラム、端末装置、表示方法、及び表示プログラムを実施するための形態（以下、「実施形態」と呼ぶ）について図面を参照しつつ詳細に説明する。なお、この実施形態により本願に係る提供装置、提供方法、提供プログラム、決定装置、決定方法、決定プログラム、端末装置、表示方法、及び表示プログラムが限定されるものではない。また、以下の各実施形態において同一の部位には同一の符号を付し、重複する説明は省略される。
【００１０】
（実施形態）
〔１．提供処理〕
まず、図１を用いて、実施形態に係る提供処理の一例について説明する。図１は、実施形態に係る提供処理の一例を示す図である。図１の例では、提供装置１００は、乗換案内サービスを提供する場合を示し、所定の出発点として出発駅の指定を取得し、所定の到着点として到着駅の指定を取得する。そして、図１の例では、提供装置１００がユーザにより入力された出発駅と到着駅との間の移動区間に対応する複数の移動手段を所定の方向に並べた一覧を端末装置１０に提供する場合を示す。なお、ここでいう移動手段とは、その移動手段を提供する事業者及びその移動経路を含む概念であってもよい。例えば、以下では、同じ事業者及び同じ移動区間であっても、移動経路ごとに個別の移動手段とされるものとする。
【００１１】
〔提供システムの構成〕
図１の説明に先立って、図２を用いて提供システム１の構成について説明する。図２は、実施形態に係る提供システムの構成例を示す図である。図２に示すように、提供システム１は、端末装置１０と、事業者装置２０と、移動経路サービス装置５０と、提供装置１００とが含まれる。端末装置１０と、事業者装置２０と、移動経路サービス装置５０と、提供装置１００とは所定のネットワークＮを介して、有線または無線により通信可能に接続される。なお、図２に示した提供システム１には、複数台の端末装置１０や、複数台の事業者装置２０や、複数台の移動経路サービス装置５０や、複数台の提供装置１００が含まれてもよい。
【００１２】
端末装置１０は、ユーザによって利用される情報処理装置である。端末装置１０は、ユーザによる操作を取得する。図１の例では端末装置１０は、ユーザの操作により所定のアプリケーション（以下、単に「アプリ」とする場合がある）を起動する。図１の例では、アプリが、ユーザが指定した２地点間（出発駅と到着駅との間）の移動手段に関する情報を提供する乗換案内アプリであってもよい。また、端末装置１０は、ユーザの操作によりアプリに表示する情報を提供装置１００へ要求する。なお、端末装置１０は、提供装置１００が提供する情報を表示可能であれば、どのようなアプリにより情報を表示してもよい。例えば、端末装置１０は、乗換案内アプリ等の専用のアプリケーションにより提供装置１００が提供する情報を表示してもよいし、ブラウザアプリ（以下、単に「ブラウザ」とする場合がある）により提供装置１００が提供する情報を表示してもよい。また、端末装置１０は、乗換案内アプリ等に表示する情報を予め提供装置１００から取得済みである場合、提供装置１００と通信することなく、ユーザの操作に応じて提供装置１００から提供済みの各種情報を表示してもよい。
【００１３】
また、以下では、端末装置１０をユーザと表記する場合がある。すなわち、以下では、ユーザを端末装置１０と読み替えることもできる。なお、端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１の例では、端末装置１０がタッチパネル機能を有するスマートフォンである場合を示す。
【００１４】
また、図１の例では、端末装置１０における表示内容の変更に応じて、端末装置１０を端末装置１０−１、１０−２として説明する。なお、端末装置１０−１、１０−２は同一の端末装置１０である。また、以下では、端末装置１０−１、１０−２について、特に区別なく説明する場合には、端末装置１０と記載する。
【００１５】
事業者装置２０は、各事業者（入札者）よって利用される情報処理装置である。例えば、なお、ここでいう事業者とは、公共交通機関等の法人を含む概念であるものとする。例えば、事業者装置２０は、スマートフォンや、タブレット型端末や、ノート型ＰＣや、デスクトップＰＣや、携帯電話機や、ＰＤＡ等により実現される。なお、図１の例では、事業者装置２０がノート型ＰＣである場合を一例として示す。図１の例では、事業者装置２０は、事業者である公共交通機関「Ｘ電鉄」の管理者Ｍ１によって利用される情報処理装置である場合を示す。Ｘ電鉄の管理者Ｍ１は、事業者装置２０を用いて、提供装置１００との間で情報の送受信を行う。例えば、Ｘ電鉄の管理者Ｍ１は、事業者装置２０を用いて、所望の２地点間の移動手段に関する入札情報を送信する。例えば、Ｘ電鉄の管理者Ｍ１は、事業者装置２０を用いて、提供装置１００に移動手段に関する各種情報の入稿や入札額を示す情報の送信を行ったりする。また、事業者装置２０は、提供装置１００から情報提供を受けてもよい。
【００１６】
移動経路サービス装置５０は、提供装置１００が提供する乗換案内サービスにおいて提供する移動手段に関する情報や、指定された２地点間の移動手段に関する情報を所定の基準に基づいて抽出する抽出ロジック（抽出プログラム）を提供する情報処理装置である。なお、移動経路サービス装置５０が提供する抽出ロジックは、種々の公知の経路探索ロジックであってもよい。例えば、移動経路サービス装置５０が提供する抽出ロジックは、各地点（各駅）をノードとし、各ノード間が時間や料金が対応付けられたエッジで接続されたグラフ情報を用いるロジックであってもよい。例えば、移動経路サービス装置５０が提供する抽出ロジックは、指定された時間に対応して、指定された出発点を遅く出発し、到着点に早く着くような所定数の移動手段を抽出するロジックであってもよい。なお、抽出ロジックは、乗換えが楽か否か、料金が安いか等の種々の基準に基づいて指定された時間や出発点や到着点に対応する移動手段を抽出したり、抽出した移動手段の順位付けを行なったりしてもよい。なお、以下では、ユーザにより指定された時間（出発時間や到着時間）や出発点や到着点等に関する情報を指定情報と総称する場合がある。
【００１７】
提供装置１００は、端末装置１０にユーザが指定した指定情報に対応する移動手段に関する情報を提供する情報処理装置である。図１の例では、提供装置１００は、端末装置１０から情報要求を取得し、端末装置１０において起動されたアプリ中に表示される移動手段に関する情報（以下、単に「移動手段」ともいう）を提供する。また、提供装置１００は、課金の対象となる移動手段であるスポンサードルートであって、端末装置１０にユーザが指定した指定情報に対応するスポンサードルートを提供する。例えば、スポンサードルートとは、事業者がユーザへの情報の提供を希望し、所定の登録を行った移動手段であって、情報の表示の提供に応じて事業者に課金等が発生する移動手段を意味する。図１の例では、提供装置１００は、入札された移動手段に関する情報であって、端末装置１０にユーザが指定した指定情報に対応する入札された移動手段に関する情報（以下、単に「入札移動手段」ともいう）を、スポンサードルートとして提供する。例えば、ここでいう入札移動手段とは、所定の事業を行う事業者（入札者）により入札された移動手段を意味する。なお、スポンサードルートは、入札移動手段に限らず種々の形態であってもよいが、詳細は後述する。また、提供装置１００は、移動区間に関して課金の対象となる移動手段であるスポンサードルート群のうち、ユーザからの情報要求に対応するスポンサードルートを決定する決定装置である。例えば、提供装置１００は、課金の対象となる移動手段であるスポンサードルートのうち、ユーザの路線検索リクエストに対応するスポンサードルートを、ユーザが利用する端末装置１０に提供する。
【００１８】
ここから、図１を用いて、実施形態に係る提供処理の一例について説明する。図１に示す提供装置１００は、ユーザが入力した２地点間に対応する移動手段に関する情報を提供する乗換案内サービスを提供する。図１の例では、ユーザがユーザＵ１である場合を示す。また、図１の例では、ユーザＵ１は、アプリとして乗換案内アプリを利用するものとする。
【００１９】
以下、図１を用いて、提供処理の一例を説明する。まず、図１に示すマップ情報ＭＰ１について、簡単に説明する。図１に示すマップ情報ＭＰ１は、各地点（各駅）の位置及びその移動手段による接続関係の一部を模式的に示す図である。例えば、マップ情報ＭＰ１には、Ａ駅とＢ駅との間を乗り換えなしで運行する移動手段ＰＴ１が存在することを示す。以下では、移動手段ＰＴ１の移動経路を「経路ＰＴ１」とする場合がある。このように、以下では、「経路ＰＴ＊（＊は任意の数値）」と記載した場合、その移動経路は「移動手段ＰＴ＊」に対応する移動経路であることを示す。例えば、「経路ＰＴ２」と記載した場合、その移動経路は「移動手段ＰＴ２」に対応する移動経路である。例えば、経路ＰＴ１は、Ａ駅とＢ駅との間を所定の交通機関（例えば、ＡＢ電鉄等）により運行される移動手段ＰＴ１の移動経路である。
【００２０】
また、例えば、マップ情報ＭＰ１には、経路ＰＴ２に示すように、Ｖ駅を乗換駅としてＡ駅とＢ駅との間を運行する移動手段ＰＴ２が存在することを示す。また、例えば、マップ情報ＭＰ１には、経路ＰＴ１１に示すように、Ｃ駅を乗換駅としてＡ駅とＢ駅との間を運行する移動手段ＰＴ１１が存在することを示す。なお、図１の例では、移動手段ＰＴ１１は、マップ情報ＭＰ１に示すように、Ａ駅を出発して、Ｂ駅から離れる方向にあるＣ駅へ向かい、Ｃ駅で乗り換えてＢ駅の方向へ近づく方向へ移動するため、上述した抽出ロジックでは、Ａ駅からＢ駅への移動手段として、抽出されない、または、提供対象となる所定の順位よりも下位の移動手段であるものとする。
【００２１】
まず、提供装置１００は、事業者装置２０から入札を取得する（ステップＳ１０）。例えば、提供装置１００は、Ｘ電鉄の管理者Ｍ１が利用する事業者装置２０から入札に関する情報（以下、「入札情報」ともいう）を取得する。図１の例では、提供装置１００は、事業者装置２０から、出発駅を「Ａ駅」とし、到着駅を「Ｂ駅」とし、移動経路がＸ電鉄により運行される経路ＰＴ１１である移動手段ＰＴ１１に関する入札情報を取得する。図１の例では、提供装置１００は、事業者装置２０から、出発駅を「Ａ駅」とし、到着駅を「Ｂ駅」とする移動手段ＰＴ１１の入札額「１００（円）」を含む入札情報をスポンサードルート情報として取得する。
【００２２】
そして、提供装置１００は、事業者装置２０から取得したスポンサードルート情報（入札情報）をスポンサードルート情報記憶部１２２に格納する。
【００２３】
図１中のスポンサードルート情報記憶部１２２に示す「移動区間ＩＤ」は、移動区間を識別するための識別情報を示す。図１中のスポンサードルート情報記憶部１２２に示す「出発点」は、対応する移動区間ＩＤにより識別される移動区間の出発点を示す。また、図１中のスポンサードルート情報記憶部１２２に示す「到着点」は、対応する移動区間ＩＤにより識別される移動区間の到着点を示す。
【００２４】
図１中のスポンサードルート情報記憶部１２２に示す「入札者ＩＤ」は、入札者を識別するための識別情報を示す。図１中のスポンサードルート情報記憶部１２２に示す「事業種別」は、対応する移動区間ＩＤにより識別される入札者が提供する移動手段の事業種別を示す。
【００２５】
図１中のスポンサードルート情報記憶部１２２に示す「入札額（円）」は、入札者が経路等の移動手段に関する情報を入稿する際に指定する金額を示す。図１中のスポンサードルート情報記憶部１２２に示す「移動手段」は、入札した移動手段に関する各種情報を示す。例えば、図１中のスポンサードルート情報記憶部１２２に示す「ＰＴ１１」は、マップ情報ＭＰ１中の移動手段ＰＴ１１に対応する。
【００２６】
図１の例では、移動区間ＩＤ「ＩＶ１２」により識別される移動区間（移動区間ＩＶ１２）は、出発点が「Ａ駅」であり、到着点が「Ｂ駅」であることを示す。また、図１の例では、出発点「Ａ駅」から到着点「Ｂ駅」までの移動区間ＩＶ１２には、入札者ＩＤ「ＢＤ１１」により識別される入札者（入札者ＢＤ１１）や入札者ＩＤ「ＢＤ１２」により識別される入札者（入札者ＢＤ１２）や入札者ＩＤ「ＢＤ１３」により識別される入札者（入札者ＢＤ１３）が、移動手段に関する入札を行っていることを示す。
【００２７】
図１の例では、移動区間ＩＶ１２に入札した入札者ＢＤ１１の事業種別は、交通機関の事業種別（以下、単に「種別」ともいう）「電車」の「Ｘ電鉄」であることを示す。すなわち、入札者ＢＤ１１は、ステップＳ１０において入札を行ったＸ電鉄に対応する。また、入札者ＢＤ１１の入札額は、「１００（円）」であることを示す。
【００２８】
また、図１の例では、移動区間ＩＶ１２に入札した入札者ＢＤ１２の事業種別は、種別「電車」の「Ｙ電鉄」であることを示す。また、入札者ＢＤ１２の入札額は、「８０（円）」であることを示す。また、図１の例では、移動区間ＩＶ１２に入札した入札者ＢＤ１３の事業種別は、交通機関「タクシー」であることを示す。また、入札者ＢＤ１３の入札額は、「５０（円）」であることを示す。このように、図１の例では、入札者ＢＤ１１（Ｘ電鉄）が行った入札の入札額「１００（円）」が、出発点「Ａ駅」から到着点「Ｂ駅」までの移動区間ＩＶ１２に対応する入札のうち、最大の入札額であるものとする。
【００２９】
また、ユーザＵ１は、端末装置１０で乗換案内アプリを起動し、所望の２地点を入力する（ステップＳ１１）。例えば、ユーザＵ１は、所望の出発点と到着点との２地点を入力する。図１の例では、ユーザＵ１は乗換案内アプリの入力画面Ｐ１１（入力ページＰ１１）中に含まれる出発駅を指定する入力欄ＢＸ１１に「Ａ駅」と入力する。また、図１の例では、ユーザＵ１は乗換案内アプリの入力画面Ｐ１１に含まれる到着駅を指定する入力欄ＢＸ１２に「Ｂ駅」と入力する。
【００３０】
その後、ユーザＵ１は、入力画面Ｐ１１に含まれるボタンＢＴ１１を押下することにより（ステップＳ１２）、提供装置１００に情報要求を送信する（ステップＳ１３）。例えば、ユーザＵ１は、端末装置１０のボタンＢＴ１１が表示された部分を指Ｆ１によりタッチすることにより、提供装置１００にＡ駅からＢ駅を移動経路とする検索クエリを情報要求として送信する。図１の例では、端末装置１０は、出発駅を「Ａ駅」、到着駅を「Ｂ駅」とし、出発時間（時刻）を現在時間（例えば、２０１７年２月１８日８時）とする移動手段に関する情報を要求する。
【００３１】
端末装置１０から情報要求を取得した提供装置１００は、移動手段を決定する（ステップＳ１４）。図１の例では、提供装置１００は、出発駅を「Ａ駅」、到着駅を「Ｂ駅」とする移動手段を、端末装置１０に提供する移動手段として決定する。例えば、提供装置１００は、移動経路サービス装置５０から提供された抽出ロジックや移動手段に関する情報に基づいて、出発駅を「Ａ駅」、到着駅を「Ｂ駅」とする移動手段を、端末装置１０に提供する移動手段として決定する。なお、提供装置１００は、移動経路サービス装置５０に端末装置１０から取得した情報を送信することにより、移動経路サービス装置５０から出発駅を「Ａ駅」、到着駅を「Ｂ駅」とする移動手段を取得してもよい。図１の例では、提供装置１００は、出発駅を「Ａ駅」、到着駅を「Ｂ駅」とする移動手段ＰＴ１や移動手段ＰＴ２等を、端末装置１０に提供する移動手段として決定する。
【００３２】
そして、提供装置１００は、入札移動手段を決定する（ステップＳ１５）。例えば、提供装置１００は、スポンサードルート情報記憶部１２２に記憶された入札移動手段群のうち、ユーザの情報要求に対応する入札移動手段を決定する。例えば、提供装置１００は、出発点「Ａ駅」から到着点「Ｂ駅」までの移動区間ＩＶ１２に対応する入札の中から、入札移動手段を決定する。図１の例では、提供装置１００は、出発点「Ａ駅」から到着点「Ｂ駅」までの移動区間ＩＶ１２に対応する入札のうち、入札額が最大である入札に対応する移動手段を入札移動手段として決定する。具体的には、提供装置１００は、出発点「Ａ駅」から到着点「Ｂ駅」までの移動区間ＩＶ１２に対応する入札のうち、最大の入札額「１００（円）」を入札した入札者ＢＤ１１（Ｘ電鉄）の移動手段ＰＴ１１を、端末装置１０に提供する入札移動手段として決定する。
【００３３】
そして、提供装置１００は、入札移動手段が移動手段とともに並べて表示される一覧を提供する（ステップＳ１６）。例えば、提供装置１００は、移動手段ＰＴ１、ＰＴ２や入札移動手段ＰＴ１１を端末装置１０に提供する。図１の例では、提供装置１００は、移動手段ＰＴ１、ＰＴ２や入札移動手段ＰＴ１１を一覧表示する一覧情報Ｐ１２を端末装置１０に提供する。
【００３４】
一覧情報Ｐ１２を受信した端末装置１０は、表示を遷移させる（ステップＳ１７）。図１の例では、表示遷移後の端末装置１０中の一覧情報Ｐ１２には、移動手段ＰＴ１、移動手段ＰＴ２、入札移動手段ＰＴ１１、移動手段ＰＴ３の順に上下方向に並んで一覧表示される。この場合、端末装置１０において、入札移動手段は移動手段とともに所定の方向に並べて一覧表示される。図１の例では、端末装置１０において、入札移動手段ＰＴ１１が、移動手段ＰＴ２と移動手段ＰＴ３との間に差し込まれて一覧表示される。
【００３５】
また、図１の例では、移動手段ＰＴ１には、最も到着時間が早いことを示すアイコンＩＣ１が経路に関する情報とともに表示される。また、図１の例では、入札移動手段ＰＴ１１には、最も料金が安いことを示すアイコンＩＣ１１が経路に関する情報とともに表示される。これにより、入札移動手段ＰＴ１１がユーザＵ１に視認される可能性を高めることができる。また、例えば、端末装置１０は、ユーザＵ１が入札移動手段ＰＴ１１を選択した場合、入札移動手段ＰＴ１１に関する詳細情報を表示してもよい。
【００３６】
また、図１の例では、端末装置１０は、入札移動手段ＰＴ１１を移動手段ＰＴ１〜ＰＴ３等とは異なる態様で一覧表示する。例えば、端末装置１０は、入札移動手段ＰＴ１１を移動手段ＰＴ１〜ＰＴ３等とは異なる色で一覧表示する。図１の例では、入札移動手段ＰＴ１１の色をハッチングで図示するが、移動手段ＰＴ１〜ＰＴ３等の背景色を白とし、入札移動手段ＰＴ１１の背景色を黄色とすることにより、端末装置１０は、入札移動手段ＰＴ１１を移動手段ＰＴ１〜ＰＴ３等とは異なる態様で一覧表示してもよい。これにより、入札移動手段ＰＴ１１が移動手段ＰＴ１〜ＰＴ３等の他の移動手段とは異なる基準で表示されている移動手段であることを、ユーザＵ１が直感的に把握することができる。
【００３７】
上述した例では、提供装置１００は、ユーザの検索クエリ（指定情報）に対応する移動手段を提供する際に、入札された入札移動手段を移動手段と一覧表示されるように提供する。図１の例では、端末装置１０は、移動手段ＰＴ１〜ＰＴ３とともに、入札移動手段ＰＴ１１を上下方向に並べて一覧表示する。つまり、提供装置１００は、入札移動手段ＰＴ１１をユーザの検索クエリに対応する移動手段ＰＴ１〜ＰＴ３とともに表示されるように提供することができるため、入札移動手段ＰＴ１１をユーザに視認可能性が高い態様で、提供することができる。また、提供装置１００は、移動手段ＰＴ１〜ＰＴ３に重畳させることなく、移動手段ＰＴ１〜ＰＴ３と調和した態様で入札移動手段ＰＴ１１が表示されるように提供することができるため、ユーザの満足度を低下させることなく、入札移動手段ＰＴ１１をユーザに適切に提供することができる。すなわち、提供装置１００は、ユーザの満足度の低下を抑制しつつ、入札された移動手段に関する情報をユーザに提供することができる。
【００３８】
〔１−１．提供する入札移動手段〕
なお、上記の例では、説明を簡単にするために、入札額が最大の入札移動手段を端末装置１０に提供する場合を示したが、提供装置１００は、種々の条件や目的に応じて端末装置１０に提供する入札移動手段を決定してもよい。例えば、提供装置１００は、複数の入札移動手段を端末装置１０に提供してもよい。
【００３９】
例えば、提供装置１００は、所定のスコアに基づいて、端末装置１０に提供する入札移動手段を決定してもよい。例えば、事業者への課金が端末装置１０に表示された入札移動手段をユーザが選択した場合に発生する場合、入札移動手段の選択率（いわゆるクリック率：Click  Through  Rate）と入札額とに基づいて算出されるスコアに基づいて、端末装置１０に提供する入札移動手段を決定してもよい。入札移動手段の選択率と入札額とに基づいて算出されるスコア（指標値）、いわゆるｅＣＰＭ（effective  Cost  Per  Mille）と同様にスコアに基づいて、端末装置１０に提供する入札移動手段を決定してもよい。
【００４０】
例えば、提供装置１００は、入札者ＢＤ１２の入札移動手段ＰＴ１２が端末装置１０に表示された際の選択率が、入札者ＢＤ１１の入札移動手段ＰＴ１１が端末装置１０に表示された際の選択率の２倍である場合、入札移動手段ＰＴ１２を端末装置１０に提供する入札移動手段と決定してもよい。例えば、提供装置１００は、入札者ＢＤ１１の入札移動手段ＰＴ１１が端末装置１０に表示された際の選択率が「０．０５（５％）」である場合、入札移動手段ＰＴ１１のスコアを「５（＝１００×０．０５）」と算出する。また、例えば、提供装置１００は、入札者ＢＤ１２の入札移動手段ＰＴ１２が端末装置１０に表示された際の選択率が「０．１（１０％）」である場合、入札移動手段ＰＴ１２のスコアを「８（＝８０×０．１）」と算出する。この場合、入札移動手段ＰＴ１２のスコア「８」の方が、入札移動手段ＰＴ１１のスコア「５」よりも大きいため、提供装置１００は、入札移動手段ＰＴ１２を端末装置１０に提供する入札移動手段と決定してもよい。なお、上記は一例であり、提供装置１００は、例えば、ＣＶＲ（Conversion  Rate）、ＣＰＣ（Cost  Per  Click）等の種々の指標に基づいて、端末装置１０に提供する入札移動手段を決定してもよい。
【００４１】
なお、提供システム１における課金形態は上記限らず、種々の課金形態であってよい。例えば、提供システム１における課金形態は、いわゆるインプレッション課金であってもよい。例えば、提供装置１００は、スポンサードルートが表示された場合、そのスポンサードルートに対応する事業者に課金してもよい。また、例えば、提供システム１における課金形態は、ユーザがスポンサードルートの事業者の利益に至る行動を行ったら課金、いわゆるコンバージョン課金であってもよい。例えば、提供装置１００は、スポンサードルートが提供されたユーザがそのスポンサードルートで予約等の所定の行動を行った場合、そのスポンサードルートに対応する事業者に課金してもよい。
【００４２】
また、例えば、提供装置１００は、スポンサードルートが提供されたユーザの行動を所定のセンサにより捕捉し、ユーザがそのスポンサードルートを利用した場合、そのスポンサードルートに対応する事業者に課金してもよい。例えば、提供装置１００は、ユーザが利用する端末装置１０のＧＰＳ（Global  Positioning  System）等により検知されるユーザの位置情報を取得し、ユーザがそのスポンサードルートを利用した場合、そのスポンサードルートに対応する事業者に課金してもよい。
【００４３】
また、図１の例では、事業者が入札額を指定して入札する場合を示したが、提供システム１においては、種々の形態によりスポンサードルートを受付けてもよい。例えば、提供装置１００は、所定の期間中にスポンサードルートがユーザの端末装置１０に表示される回数を保証するインプレッション保証タイプにより、スポンサードルートの登録（入稿）を受け付けてもよい。この場合、事業者（広告主）が予めスポンサードルートが表示される回数（インプレッション数）を購入し、提供装置１００は、そのインプレッション数を保証するように、そのスポンサードルートを表示してもよい。例えば、提供装置１００は、事業者のスポンサードルートについて保証するインプレッション数に応じてその事業者に前課金し、そのスポンサードルートを保証したインプレッション数を満たすように表示してもよい。なお、上記は一例であり、提供装置１００は、スポンサードルートのユーザへの提供に応じて、課金する形態であれば、どのような課金形態で課金を行ってもよい。
【００４４】
〔１−２．入札移動手段の種別〕
また、図１の例では、電車を移動手段の一例として説明したが、移動手段は、電車に限らず、種々の移動手段であってもよい。例えば、移動手段は、図１に示すように、タクシーや飛行機等であってもよい。すなわち、移動手段は、２地点間におけるユーザの移動に利用可能な手段であれば、どのような移動手段を対象としてもよい。例えば、移動手段は、公共の交通機関に限らず、例えば、Ａ駅からＢ駅まで移動する個人の自動車であってもよい。
【００４５】
〔１−３．入札態様〕
また、図１の例では、提供装置１００がＸ電鉄の管理者Ｍ１が利用する事業者装置２０から、出発駅を「Ａ駅」とし、到着駅を「Ｂ駅」とする入札情報を取得する場合を示したが、提供装置１００は、種々の態様により入札を取得してもよい。例えば、提供装置１００は、事業者に出発点や到着点として、所定のエリアを選択可能とすることにより、複数の駅を対象とした入札情報を取得してもよい。また、提供装置１００は、事業者が指定したエリアに対応する駅の一覧リストを事業者装置２０に提供してもよい。また、提供装置１００は、各移動区間に関する入札状況に関する情報を事業者装置２０に提供してもよい。例えば、提供装置１００は、各移動区間に関する入札について、その時点における最高入札額や最高スコア等に関する情報を事業者装置２０に提供してもよい。また、例えば、提供装置１００は、各移動区間に関する入札について、その時点で入札額をいくらで入札すれば、対応する移動区間の移動手段の表示において、入札移動手段としてユーザに提供されるかを示す情報を事業者装置２０に提供してもよい。
【００４６】
〔２．提供装置の構成〕
次に、図３を用いて、実施形態に係る提供装置１００の構成について説明する。図３は、実施形態に係る提供装置１００の構成例を示す図である。図３に示すように、提供装置１００は、通信部１１０と、記憶部１２０と、制御部１３０とを有する。なお、提供装置１００は、提供装置１００の管理者等から各種操作を取得する入力部（例えば、キーボードやマウス等）や、各種情報を表示するための表示部（例えば、液晶ディスプレイ等）を有してもよい。
【００４７】
（通信部１１０）
通信部１１０は、例えば、ＮＩＣ（Network  Interface  Card）等によって実現される。そして、通信部１１０は、ネットワークＮと有線または無線で接続され、端末装置１０との間で情報の送受信を行う。
【００４８】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、ユーザ情報記憶部１２１と、スポンサードルート情報記憶部１２２とを有する。また、図３では図示を省略するが、記憶部１２０は、乗換案内サービスに関する各種情報を記憶する。例えば、記憶部１２０は、駅やバス停や空港等の所定の交通機関の乗降地点に関する情報や各乗降地点間の移動時間や料金に関する情報を記憶する。
【００４９】
（ユーザ情報記憶部１２１）
実施形態に係るユーザ情報記憶部１２１は、ユーザに関する各種情報を記憶する。例えば、ユーザ情報記憶部１２１は、ユーザ属性に関する各種情報を記憶する。図４は、実施形態に係るユーザ情報記憶部の一例を示す図である。図４に示すユーザ情報記憶部１２１は、「ユーザＩＤ」、「年齢」、「性別」といった項目が含まれる。
【００５０】
「ユーザＩＤ」は、ユーザを識別するための識別情報を示す。例えば、ユーザＩＤ「Ｕ１」により識別されるユーザは、図１の例に示したユーザＵ１に対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。
【００５１】
例えば、図４の例では、ユーザＩＤ「Ｕ１」により識別されるユーザ（ユーザＵ１）の年齢は、「２０代」であり、性別は、「男性」であることを示す。また、例えば、図４の例では、ユーザＩＤ「Ｕ２」により識別されるユーザの年齢は、「２０代」であり、性別は、「女性」であることを示す。
【００５２】
なお、ユーザ情報記憶部１２１は、上記に限らず、目的に応じて種々の情報を記憶してもよい。例えば、ユーザ情報記憶部１２１は、年齢や性別に加えて他のデモグラフィック属性情報やサイコグラフィック属性情報を記憶してもよい。例えば、ユーザ情報記憶部１２１は、氏名、自宅、勤務地、興味、家族構成、収入、ライフスタイル等の情報を記憶してもよい。
【００５３】
（スポンサードルート情報記憶部１２２）
実施形態に係るスポンサードルート情報記憶部１２２は、入札に関する各種情報を記憶する。例えば、スポンサードルート情報記憶部１２２は、移動区間に対する入札情報を記憶する。図５に、実施形態に係るスポンサードルート情報記憶部１２２の一例を示す。図５に示すスポンサードルート情報記憶部１２２は、「移動区間ＩＤ」、「出発点」、「到着点」、「入札情報」といった項目が含まれる。「入札情報」には、「入札者ＩＤ」、「事業種別」、「入札額（円）」、「移動手段」といった項目が含まれる。
【００５４】
「移動区間ＩＤ」は、移動区間を識別するための識別情報を示す。「出発点」は、対応する移動区間ＩＤにより識別される移動区間の出発点を示す。また、「到着点」は、対応する移動区間ＩＤにより識別される移動区間の到着点を示す。
【００５５】
「入札者ＩＤ」は、入札者を識別するための識別情報を示す。なお、「入札者」といった表記は、入札する移動手段を提供する事業者だけでなくその事業者から依頼された代理店を含む概念であるものとする。「事業種別」は、対応する移動区間ＩＤにより識別される入札者が提供する移動手段の事業種別を示す。
【００５６】
「入札額（円）」は、入札者が経路等の移動手段に関する情報を入稿する際に指定する金額を示す。例えば、「入札額（円）」は、入札した移動手段が入札移動手段として端末装置１０に表示された場合に入札者から提供装置１００の管理者等に支払われる単価を示す。なお、本実施形態においては、「入札額（円）」は、説明を簡単にするために、入札した移動手段が入札移動手段として端末装置１０に１回表示された際に入札者から提供装置１００の管理者等に支払われる単価であるものとする。なお、「入札額（円）」の単位は、「円」に限らず、「ドル」など種々の通貨単位であってもよい。
【００５７】
また、「移動手段」は、入札された移動手段を示す。例えば、「移動手段」は、入札した移動手段の乗換の有無を示す情報や、乗換地点に関する情報等の各種情報が含まれてもよい。なお、図５では「移動手段」に「ＰＴ１１」といった概念的な情報が格納される例を示したが、実際には、テキストデータやＵＲＬ、または、対応する移動手段に関する情報を取得するために、移動経路サービス装置５０に問い合わせる際に用いる検索クエリなどが格納されてもよい。
【００５８】
図５の例では、移動区間ＩＤ「ＩＶ１１」により識別される移動区間は、出発点が「○○町」であり、到着点が「××町」であることを示す。このように、スポンサードルート情報記憶部１２２には、駅やバス停や空港等の所定の交通機関の乗降地点に限らず、種々の出発点や到着点を示す情報が記憶されてもよい。
【００５９】
また、図５の例では、移動区間ＩＤ「ＩＶ１２」により識別される移動区間（移動区間ＩＶ１２）は、出発点が「Ａ駅」であり、到着点が「Ｂ駅」であることを示す。また、図５の例では、出発点「Ａ駅」から到着点「Ｂ駅」までの移動区間ＩＶ１２には、入札者ＩＤ「ＢＤ１１」により識別される入札者（入札者ＢＤ１１）や入札者ＩＤ「ＢＤ１２」により識別される入札者や入札者ＩＤ「ＢＤ１３」により識別される入札者が、移動手段に関する入札を行っていることを示す。
【００６０】
図５の例では、移動区間ＩＶ１２に入札した入札者ＢＤ１１の事業種別は、交通機関「電車」の「Ｘ電鉄」であることを示す。また、入札者ＢＤ１１の入札額は、「１００（円）」であることを示す。また、入札者ＢＤ１１の移動手段は、「ＰＴ１１（移動手段ＰＴ１１）」であることを示す。移動手段ＰＴ１１は、Ａ駅を出発点とし、Ｃ駅を乗換駅として、Ｂ駅を到着点とする経路でＸ電鉄が運行する移動手段であることを示す。
【００６１】
なお、スポンサードルート情報記憶部１２２は、上記に限らず、目的に応じて種々の情報を記憶してもよい。また、例えば、スポンサードルート情報記憶部１２２は、各入札が行われた日時に関する情報を記憶してもよい。また、例えば、スポンサードルート情報記憶部１２２は、各入札に対応する移動手段の表示に使用可能な限度額に関する情報を記憶してもよい。
【００６２】
（制御部１３０）
図３の説明に戻って、制御部１３０は、コントローラ（controller）であり、例えば、ＣＰＵ（Central  Processing  Unit）やＭＰＵ（Micro  Processing  Unit）等によって、提供装置１００内部の記憶装置に記憶されている各種プログラム（提供プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００６３】
図３に示すように、制御部１３０は、取得部１３１と、決定部１３２と、提供部１３３とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００６４】
（取得部１３１）
取得部１３１は、種々の情報を取得する。例えば、取得部１３１は、外部の情報処理装置から情報要求を取得する。例えば、取得部１３１は、端末装置１０等の外部装置から各種情報を取得する。また、取得部１３１は、記憶部１２０から各種情報を取得する。また、取得部１３１は、ユーザ情報記憶部１２１や、スポンサードルート情報記憶部１２２等から各種情報を取得する。例えば、取得部１３１は、移動経路サービス装置５０から各種情報を取得してもよい。例えば、取得部１３１は、各種公共交通機関に関する乗換案内サービスを提供するサーバ等の種々の外部の情報処理装置から各種情報を取得してもよい。例えば、取得部１３１は、事業者装置２０から各種情報を取得してもよい。例えば、取得部１３１は、事業者装置２０から移動区間及び入札額に関する情報を取得してもよい。
【００６５】
例えば、取得部１３１は、端末装置１０から情報要求を取得する。図１の例では、取得部１３１は、端末装置１０において動作するアプリによる情報要求を取得する。例えば、取得部１３１は、ユーザが利用する端末装置１０から移動手段に関する情報要求を取得する。
【００６６】
例えば、取得部１３１は、検索要求を取得する。例えば、取得部１３１は、端末装置１０から移動区間の検索クエリを取得する。図１の例では、取得部１３１は、端末装置１０から出発駅を「Ａ駅」、到着駅を「Ｂ駅」と指定する情報を取得する。
【００６７】
図１の例では、取得部１３１は、事業者装置２０から入札を取得する。図１の例では、取得部１３１は、Ｘ電鉄の管理者Ｍ１が利用する事業者装置２０から入札情報を取得する。図１の例では、取得部１３１は、事業者装置２０から、出発駅を「Ａ駅」とし、到着駅を「Ｂ駅」としてＸ電鉄により運行される移動手段ＰＴ１１に関する入札情報を取得する。図１の例では、取得部１３１は、事業者装置２０から、出発駅を「Ａ駅」とし、到着駅を「Ｂ駅」とする移動手段ＰＴ１１の入札額「１００（円）」を含む入札情報を取得する。
【００６８】
図１の例では、取得部１３１は、端末装置１０から入力画面Ｐ１１にユーザＵ１が入力した情報（検索クエリ）を指定情報として取得する。図１の例では、取得部１３１は、端末装置１０からＡ駅からＢ駅を移動経路とする検索クエリを情報要求として取得する。図１の例では、取得部１３１は、端末装置１０から出発駅を「Ａ駅」、到着駅を「Ｂ駅」とし、出発時間を現在時間（例えば、２０１７年２月１８日８時）とする移動手段に関する情報の要求を取得する。
【００６９】
（決定部１３２）
決定部１３２は、種々の情報を決定する。例えば、決定部１３２は、移動区間に関して課金の対象となる移動手段であるスポンサードルート群のうち、取得部１３１により取得された情報要求に対応するスポンサードルートを決定する。例えば、決定部１３２は、移動区間に関して入札された複数の入札移動手段のうち、各入札移動手段の入札額に基づいて、端末装置１０に提供する入札移動手段を決定する。例えば、決定部１３２は、各入札移動手段の入札額に基づいて算出されるスコアを用いて、端末装置１０に提供する入札移動手段を決定する。
【００７０】
例えば、決定部１３２は、移動手段を決定する。図１の例では、決定部１３２は、出発駅を「Ａ駅」、到着駅を「Ｂ駅」とする移動手段を、端末装置１０に提供する移動手段として決定する。図１の例では、決定部１３２は、移動経路サービス装置５０から提供された抽出ロジックや移動手段に関する情報に基づいて、出発駅を「Ａ駅」、到着駅を「Ｂ駅」とする移動手段を、端末装置１０に提供する移動手段として決定する。図１の例では、決定部１３２は、出発駅を「Ａ駅」、到着駅を「Ｂ駅」とする移動手段ＰＴ１や移動手段ＰＴ２等を、端末装置１０に提供する移動手段として決定する。
【００７１】
例えば、決定部１３２は、入札移動手段を決定する。図１の例では、決定部１３２は、出発点「Ａ駅」から到着点「Ｂ駅」までの移動区間ＩＶ１２に対応する入札の中から、入札移動手段を決定する。図１の例では、決定部１３２は、出発点「Ａ駅」から到着点「Ｂ駅」までの移動区間ＩＶ１２に対応する入札のうち、入札額が最大である入札に対応する移動手段を入札移動手段として決定する。図１の例では、決定部１３２は、出発点「Ａ駅」から到着点「Ｂ駅」までの移動区間ＩＶ１２に対応する入札のうち、最大の入札額「１００（円）」を入札した入札者ＢＤ１１（Ｘ電鉄）の移動手段ＰＴ１１を、端末装置１０に提供する入札移動手段として決定する。
【００７２】
（提供部１３３）
提供部１３３は、種々の情報を提供する。例えば、提供部１３３は、端末装置１０等の外部装置に各種情報を提供する。例えば、提供部１３３は、決定部１３２により決定された各種情報を外部装置に提供してもよい。
【００７３】
例えば、提供部１３３は、所定の出発点と所定の到着点との間の移動区間に対応する複数の移動手段を所定の方向に並べた一覧を表示する端末装置１０に、移動区間に関して入札された入札移動手段であって、一覧において複数の移動手段とともに表示されるスポンサードルートを提供する。例えば、提供部１３３は、所定の出発点と所定の到着点との間の移動区間に対応する複数の移動手段を所定の方向に並べた一覧を表示する端末装置１０に、移動区間に関して入札された入札移動手段であって、一覧において複数の移動手段とともに並べて一覧表示される入札移動手段に関する情報を提供する。例えば、提供部１３３は、一覧において複数の移動手段とは異なる表示態様により表示される入札移動手段に関する情報を、端末装置１０に提供する。
【００７４】
例えば、提供部１３３は、決定部１３２により決定された入札移動手段を端末装置１０に提供する。例えば、提供部１３３は、検索クエリに対応する移動区間の入札移動手段に関する情報を端末装置１０に提供する。例えば、提供部１３３は、入札移動手段が検索クエリにより抽出される移動手段群に関する所定の条件を満たす場合、入札移動手段に関する情報を端末装置１０に提供する。
【００７５】
例えば、提供部１３３は、検索クエリにより抽出される移動手段群に入札移動手段が含まれる場合、入札移動手段に関する情報を端末装置１０に提供する。例えば、提供部１３３は、検索クエリにより抽出される移動手段群のうち、所定の順位以内の移動手段を含む部分移動手段群に入札移動手段が含まれる場合、入札移動手段に関する情報を端末装置１０に提供する。なお、この点についての詳細は後述する。
【００７６】
図１の例では、提供部１３３は、入札移動手段が移動手段とともに並べて表示される一覧を提供する。図１の例では、提供部１３３は、移動手段ＰＴ１、ＰＴ２や入札移動手段ＰＴ１１を端末装置１０に提供する。図１の例では、提供部１３３は、移動手段ＰＴ１、ＰＴ２や入札移動手段ＰＴ１１を一覧表示する一覧情報Ｐ１２を端末装置１０に提供する。
【００７７】
〔３．提供処理のフロー〕
次に、図６を用いて、実施形態に係る提供システム１による提供処理の手順について説明する。まず、図６を用いて提供装置１００における一覧情報の提供までの処理の流れを示す。図６は、実施形態に係る提供処理の一例を示すフローチャートである。
【００７８】
図６に示すように、提供装置１００は、移動区間の検索クエリを取得する（ステップＳ１０１）。例えば、図１の例では、提供装置１００は、ユーザＵ１が利用する端末装置１０から出発駅を「Ａ駅」、到着駅を「Ｂ駅」と指定する検索クエリを取得する。その後、提供装置１００は、所定のロジックに基づいて検索クエリに対応する移動手段を決定する（ステップＳ１０２）。例えば、提供装置１００は、移動経路サービス装置５０が提供する検索ロジックに基づいて、検索クエリに対応する移動手段を決定する。例えば、提供装置１００は、記憶部１２０に記憶された駅やバス停や空港等の所定の交通機関の乗降地点に関する情報や各乗降地点間の移動時間や料金に関する情報に基づいて、検索クエリに対応する移動手段を決定する。
【００７９】
また、提供装置１００は、検索クエリに対応する入札移動手段のうち、入札額に基づいて、ユーザへ提供する入札移動手段を決定する（ステップＳ１０３）。そして、提供装置１００は、検索クエリに対応する移動手段及び決定した入札移動手段を提供する（ステップＳ１０４）。
【００８０】
〔４．端末装置の構成〕
次に、図７を用いて、実施形態に係る端末装置１０の構成について説明する。図７は、実施形態に係る端末装置１０の構成例を示す図である。図７に示すように、端末装置１０は、通信部１１と、記憶部１２と、入力部１３と、出力部１４と、制御部１５とを有する。
【００８１】
（通信部１１）
通信部１１は、例えば、通信回路等によって実現される。そして、通信部１１は、図示しない所定の通信網と有線または無線で接続され、提供装置１００との間で情報の送受信を行う。
【００８２】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーション（例えば乗換案内アプリ等）に関する情報、例えばプログラム等を記憶する。
【００８３】
（入力部１３）
入力部１３は、ユーザからの各種操作を取得する。例えば、入力部１３は、タッチパネル機能により表示面（例えば表示部１５３）を介してユーザからの各種操作を取得してもよい。また、入力部１３は、端末装置１０に設けられたボタンや、端末装置１０に接続されたキーボードやマウスからの各種操作を取得してもよい。
【００８４】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００８５】
（制御部１５）
制御部１５は、コントローラであり、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーション（例えば乗換案内アプリ等）のプログラムが含まれる。また、制御部１５は、コントローラであり、例えば、ＡＳＩＣやＦＰＧＡ等の集積回路により実現される。
【００８６】
図７に示すように、制御部１５は、要求部１５１と、受信部１５２と、表示部１５３とを有し、以下に説明する提供処理の機能や作用を実現または実行する。なお、制御部１５の内部構成は、図７に示した構成に限られず、後述する提供処理を行う構成であれば他の構成であってもよい。
【００８７】
要求部１５１は、入力部１３により取得したユーザ操作に従って、提供装置１００へ情報要求を送信する。例えば、要求部１５１は、起動したアプリからの情報要求を提供装置１００へ送信する。また、要求部１５１は、検索要求を送信する。図１の例では、要求部１５１は、提供装置１００に出発駅を「Ａ駅」、到着駅を「Ｂ駅」と指定する情報を送信することにより、検索要求を行う。
【００８８】
図１の例では、要求部１５１は、ユーザＵ１が入力画面Ｐ１１に含まれるボタンＢＴ１１を押下することにより、提供装置１００に情報要求を送信する。図１の例では、要求部１５１は、提供装置１００にＡ駅からＢ駅を移動経路とする検索クエリを情報要求として送信する。図１の例では、要求部１５１は、出発駅を「Ａ駅」、到着駅を「Ｂ駅」とし、出発時間を現在時間（例えば、２０１７年２月１８日８時）とする移動手段に関する情報を要求する。なお、要求部１５１は、移動経路サービス装置５０へ検索要求を行ってもよい。
【００８９】
受信部１５２は、提供装置１００から提供された移動手段に関する情報を受信する。また、受信部１５２は、端末装置１０を利用するユーザが入力した検索クエリに対応する移動手段に関する情報を受信する。また、受信部１５２は、受信した移動手段に関する情報を記憶部１２に格納してもよい。例えば、受信部１５２は、端末装置１０を利用するユーザが入力した検索クエリに対応する複数の移動手段及び入札移動手段を含む一覧情報Ｐ１２を受信する。図１の例では、受信部１５２は、提供装置１００から一覧情報Ｐ１２を受信する。なお、受信部１５２は、移動経路サービス装置５０から移動手段に関する情報を受信してもよい。図１の例では、受信部１５２は、一覧情報Ｐ１２を受信する。
【００９０】
表示部１５３は、受信部１５２により受信された一覧情報を表示する。例えば、表示部１５３は、所定の出発点と所定の到着点との間の移動区間に対応する複数の移動手段を所定の方向に並べた一覧において、移動区間に関して課金の対象となる移動手段であるスポンサードルートを複数の移動手段とともに表示する。例えば、表示部１５３は、所定の出発点と所定の到着点との間の移動区間に対応する複数の移動手段を所定の方向に並べた一覧において、移動区間に関して入札された入札移動手段を、複数の移動手段とともに表示する。例えば、表示部１５３は、所定の出発点と所定の到着点との間の移動区間に対応する複数の移動手段を所定の方向に並べた一覧において、移動区間に関して入札された入札移動手段を、複数の移動手段とともに並べて一覧表示する。表示部１５３は、一覧において複数の移動手段とは異なる表示態様により入札移動手段を表示する。
【００９１】
図１の例では、表示部１５３は、入力画面Ｐ１１や一覧情報Ｐ１２を表示する。図１の例では、表示部１５３は、複数の移動手段ＰＴ１〜ＰＴ３や入札移動手段ＰＴ１１を含む一覧情報Ｐ１２を表示する。図１の例では、表示部１５３は、移動手段ＰＴ１、ＰＴ２や入札移動手段ＰＴ１１を一覧表示する一覧情報Ｐ１２を表示する。図１の例では、表示部１５３は、移動手段ＰＴ１、移動手段ＰＴ２、入札移動手段ＰＴ１１、移動手段ＰＴ３の順番で並んだ一覧情報Ｐ１２を表示する。
【００９２】
図１の例では、表示部１５３は、移動手段ＰＴ１、移動手段ＰＴ２、入札移動手段ＰＴ１１、移動手段ＰＴ３の順に上下方向に並んで一覧表示される一覧情報Ｐ１２を表示する。表示部１５３は、入札移動手段は移動手段とともに所定の方向に並べて一覧表示する。図１の例では、表示部１５３は、入札移動手段ＰＴ１１を、移動手段ＰＴ２と移動手段ＰＴ３との間に差し込んで一覧表示する。
【００９３】
なお、上述した制御部１５による表示処理等の処理は、例えば、ＪａｖａＳｃｒｉｐｔ（登録商標）などにより実現されてもよい。また、上述した表示処理が所定のアプリケーション（例えば乗換案内アプリ等）により行われる場合や表示処理が専用アプリにより行われる場合、制御部１５は、例えば、所定のアプリや専用アプリを制御するアプリ制御部を有してもよい。
【００９４】
〔５．表示処理のフロー〕
次に、図８を用いて、実施形態に係る提供システム１による表示処理の手順について説明する。次に、図８を用いて端末装置１０における一覧情報の表示までの処理の流れを示す。図８は、実施形態に係る表示処理の一例を示すフローチャートである。
【００９５】
図８に示すように、端末装置１０は、移動区間の検索クエリの入力を受け付ける（ステップＳ２０１）。例えば、図１の例では、端末装置１０は、ユーザＵ１による入力を受け付ける。そして、端末装置１０は、移動区間の検索クエリを提供装置１００へ送信することにより、提供装置１００から移動手段に関する一覧を受信する。その後、端末装置１０は、検索クエリに対応する入札移動手段のうち、入札額に基づいて決定された入札移動手段を、検索クエリに対応する複数の移動手段とともに並べて一覧表示する（ステップＳ２０２）。
【００９６】
〔６．異なる種別の入札移動手段の表示〕
なお、図１の例では、抽出ロジックにより抽出された種別「電車」に対応する移動手段とともに、種別「電車」に対応する入札移動手段が一覧表示される場合を説明したが、抽出ロジックにより抽出される移動手段の種別と、入札移動手段の種別が異なっていてもよい。この点について、図９を用いて説明する。図９は、入札移動手段の表示の一例を示す図である。図９の例では、ユーザが２つの都道府県間の移動手段を検索する場合を示す。具体的には、図９の例では、出発地を「Ｔ都」とし、到着地を「Ｏ府」とし、出発日時を「２０１７年２月１８日９時」とする場合を示す。
【００９７】
図９の例では、端末装置１０中の一覧情報Ｐ２１には、移動手段ＰＴ２１、ＰＴ２２、ＰＴ２３、ＰＴ２５、及び入札移動手段ＰＴ１００が上下方向に並んで一覧表示される場合を示す。具体的には、端末装置１０中の一覧情報Ｐ２１には、移動手段ＰＴ２１、移動手段ＰＴ２２、移動手段ＰＴ２３、入札移動手段ＰＴ１００、移動手段ＰＴ２５の順番で上下方向に並んで一覧表示される場合を示す。
【００９８】
ここで、図９の例では、移動手段ＰＴ２１、ＰＴ２２、ＰＴ２３、ＰＴ２５は、種別「新幹線」に対応する移動手段である場合を示す。一方、入札移動手段ＰＴ１００は、種別「新幹線」とは異なる種別「飛行機」に対応する移動手段である場合を示す。このように、提供装置１００は、ユーザが移動手段に関する情報を要求した種別とは異なる種別の入札移動手段を端末装置１０に提供してもよい。また、端末装置１０は、ユーザが移動手段に関する情報を要求した種別とは異なる種別の入札移動手段をユーザが要求した種別の移動手段とともに一覧表示してもよい。
【００９９】
また、端末装置１０は、一覧表示する移動手段ＰＴ２１、ＰＴ２２、ＰＴ２３の種別「新幹線」を識別するアイコンＩＣ２０を移動手段ＰＴ２１、ＰＴ２２、ＰＴ２３の移動手段情報として表示してもよい。また、端末装置１０は、一覧表示する入札移動手段ＰＴ１００の種別「飛行機」を識別するアイコンＩＣ１００を移動手段ＰＴ１００の移動手段情報として表示してもよい。これにより、ユーザは、異なる種別の移動手段が表示されていることが、直感的に把握できるため、ユーザビリティを向上させることができる。したがって、提供装置１００は、ユーザの満足度の低下を抑制しつつ、入札された移動手段に関する情報をユーザに提供することができる。
【０１００】
〔７．検索結果に応じた提供処理〕
また、入札移動手段をユーザに提供するかどうかを入札移動手段が、抽出ロジックにより抽出される移動手段に含まれるかどうかに応じて決定してもよい。この点について、図１０を用いて説明する。図１０は、実施形態に係る提供処理の一例を示す図である。なお、図１と同様の点については、適宜説明を省略する。また、図１０の例では、図１に示すステップＳ１０における入札後における提供処理について説明する。
【０１０１】
図１０の例では、提供装置１００は、検索クエリにより抽出される移動手段群のうち、５０位以内の移動手段からなる部分移動手段群に入札移動手段が含まれる場合、入札移動手段に関する情報を端末装置１０に提供するものとする。なお、提供装置１００は、検索クエリにより抽出される移動手段群に入札移動手段が含まれれば、順位に関わらず入札移動手段に関する情報を端末装置１０に提供してもよい。
【０１０２】
また、ユーザＵ１は、端末装置１０で乗換案内アプリを起動し、所望の２地点を入力する（ステップＳ３１）。例えば、ユーザＵ１は、所望の出発点と到着点との２地点を入力する。図１０の例では、ユーザＵ１は乗換案内アプリの入力画面Ｐ１１中に含まれる出発駅を指定する入力欄ＢＸ１１に「Ａ駅」と入力する。また、図１０の例では、ユーザＵ１は乗換案内アプリの入力画面Ｐ１１に含まれる到着駅を指定する入力欄ＢＸ１２に「Ｂ駅」と入力する。
【０１０３】
その後、ユーザＵ１は、入力画面Ｐ１１に含まれるボタンＢＴ１１を押下することにより（ステップＳ３２）、提供装置１００に情報要求を送信する（ステップＳ３３）。例えば、ユーザＵ１は、端末装置１０のボタンＢＴ１１が表示された部分を指Ｆ１によりタッチすることにより、提供装置１００にＡ駅からＢ駅を移動経路とする検索クエリを情報要求として送信する。図１０の例では、端末装置１０は、出発駅を「Ａ駅」、到着駅を「Ｂ駅」とし、出発時間を現在時間（例えば、２０１７年２月１８日８時）とする移動手段に関する情報を要求する。
【０１０４】
端末装置１０から情報要求を取得した提供装置１００は、移動手段を決定する（ステップＳ３４）。図１０の例では、提供装置１００は、出発駅を「Ａ駅」、到着駅を「Ｂ駅」とする移動手段を、端末装置１０に提供する移動手段として決定する。
【０１０５】
ここで、提供装置１００は、抽出ロジックに基づいて、出発駅を「Ａ駅」、到着駅を「Ｂ駅」とする移動手段を抽出する。図１０の例では、提供装置１００は、対象移動手段リストＭＬに示すように、抽出ロジックに基づいて、出発駅を「Ａ駅」、到着駅を「Ｂ駅」とする移動手段を抽出する。具体的には、提供装置１００は、対象移動手段リストＭＬに示すように、移動手段ＰＴ１〜ＰＴ３、ＰＴ１００等を抽出する。
【０１０６】
例えば、提供装置１００が抽出する移動手段ＰＴ１〜ＰＴ３、ＰＴ１００等には抽出ロジックにおける基準に基づいて、順位が付されるものとする。例えば、移動手段ＰＴ１〜ＰＴ３、ＰＴ１００等には抽出ロジックにおける移動時間の短さや到着時間の早さ等の時間に関する基準に基づいて、順位が付されるものとする。例えば、提供装置１００は移動時間が短い移動手段ＰＴ１〜ＰＴ３を順位１位〜３位と決定する。また、図１０中の対象移動手段リストＭＬに示すように、移動手段ＰＴ１１は、移動時間が他の移動手段ＰＴ１〜ＰＴ３等よりも要する等の理由により、順位が１００位であるものとする。なお、図１０の例では５０位を閾値とするため、対象移動手段リストＭＬに含まれる移動手段のうち、上記５０位以内の移動手段が、移動手段群に含まれるものとする。
【０１０７】
図１０の例では、提供装置１００は、抽出ロジックに基づいて、出発駅を「Ａ駅」、到着駅を「Ｂ駅」とする移動手段ＰＴ１や移動手段ＰＴ２等を、端末装置１０に提供する移動手段として決定する。
【０１０８】
そして、提供装置１００は、入札移動手段を提供するかどうかを判定（決定）する（ステップＳ３５）。まず、提供装置１００は、出発点「Ａ駅」から到着点「Ｂ駅」までの移動区間ＩＶ１２に対応する入札の中から、入札移動手段を決定する。図１０の例では、提供装置１００は、出発点「Ａ駅」から到着点「Ｂ駅」までの移動区間ＩＶ１２に対応する入札のうち、入札額が最大である入札に対応する移動手段を入札移動手段として決定する。具体的には、提供装置１００は、出発点「Ａ駅」から到着点「Ｂ駅」までの移動区間ＩＶ１２に対応する入札のうち、最大の入札額「１００（円）」を入札した入札者ＢＤ１１（Ｘ電鉄）の移動手段ＰＴ１１を、端末装置１０に提供する入札移動手段として決定する。
【０１０９】
そして、提供装置１００は、入札移動手段ＰＴ１１が、移動手段群に含まれるかどうかを判定する。図１０の例では、提供装置１００は、入札移動手段ＰＴ１１が、順位５０位以内に含まれるかどうかを判定する。上述したように、入札移動手段ＰＴ１１は、対象移動手段リストＭＬにおける順位が１００位であるため、順位５０位以内（移動手段群）には含まれない。そのため、提供装置１００は、入札移動手段を提供しないと決定する。
【０１１０】
そして、提供装置１００は、入札移動手段を含まない移動手段情報を提供する（ステップＳ３６）。例えば、提供装置１００は、移動手段ＰＴ１、ＰＴ２、ＰＴ３等を端末装置１０に提供する。例えば、提供装置１００は、移動手段ＰＴ１、ＰＴ２、ＰＴ３等を一覧表示する一覧情報を端末装置１０に提供する。そして、移動手段ＰＴ１、ＰＴ２、ＰＴ３等を受信した端末装置１０は、移動手段ＰＴ１、ＰＴ２、ＰＴ３等を表示する。
【０１１１】
このように、提供装置１００は、入札額等の収益性に応じて決定された入札移動手段であっても、その入札移動手段が抽出ロジックで抽出される移動手段に関する所定の基準を満たさない場合、入札移動手段を端末装置１０へ提供しない。これにより、提供装置１００は、例えばユーザの検索クエリに全く関係のない情報等が表示されることを抑制することができるため、ユーザの満足度の低下を抑制しつつ、入札された移動手段に関する情報をユーザに提供することができる。また、上述した例では、入札移動手段ＰＴ１１を提供しないと判定した後に、抽出ロジックにより抽出された移動手段ＰＴ１〜ＰＴ３等のみを提供する場合を示したが、提供装置１００は、入札移動手段ＰＴ１２や入札移動手段ＰＴ１３が条件を満たすかを判定してもよい。この場合、提供装置１００は、入札移動手段ＰＴ１２が順位５０位以内（移動手段群）に含まれる場合、入札移動手段ＰＴ１２を端末装置１０へ提供してもよい。
【０１１２】
〔８．効果〕
上述してきたように、実施形態に係る提供装置１００は、提供部１３３を有する。提供部１３３は、所定の出発点と所定の到着点との間の移動区間に対応する複数の移動手段を所定の方向に並べた一覧を表示する端末装置１０に、移動区間に関して課金の対象となる移動手段であるスポンサードルートであって、一覧において複数の移動手段とともに表示されるスポンサードルートを提供する。
【０１１３】
これにより、実施形態に係る提供装置１００は、所定の出発点と所定の到着点との間の移動区間に対応する複数の移動手段を所定の方向に並べた一覧を表示する端末装置１０に、移動区間に関して課金の対象となる移動手段であるスポンサードルートであって、一覧において複数の移動手段とともに表示されるスポンサードルートを提供することにより、ユーザの満足度の低下を抑制しつつ、課金の対象となる移動手段であるスポンサードルートをユーザに提供することができる。
【０１１４】
また、実施形態に係る提供装置１００において、提供部１３３は、一覧において複数の移動手段とは異なる表示態様により表示されるスポンサードルートを、端末装置１０に提供する。
【０１１５】
これにより、実施形態に係る提供装置１００は、一覧において複数の移動手段とは異なる表示態様により表示されるスポンサードルートを、端末装置１０に提供することにより、ユーザの満足度の低下を抑制しつつ、課金の対象となる移動手段であるスポンサードルートをユーザに提供することができる。
【０１１６】
また、実施形態に係る提供装置１００は、取得部１３１を有する。取得部１３１は、端末装置１０から移動区間の検索クエリを取得する。提供部１３３は、検索クエリに対応する移動区間のスポンサードルートを端末装置１０に提供する。
【０１１７】
これにより、実施形態に係る提供装置１００は、検索クエリに対応する移動区間のスポンサードルートを端末装置１０に提供することにより、ユーザの満足度の低下を抑制しつつ、課金の対象となる移動手段であるスポンサードルートをユーザに提供することができる。
【０１１８】
また、実施形態に係る提供装置１００において、提供部１３３は、スポンサードルートが検索クエリにより抽出される移動手段群に関する所定の条件を満たす場合、スポンサードルートを端末装置１０に提供する。
【０１１９】
これにより、実施形態に係る提供装置１００は、スポンサードルートが検索クエリにより抽出される移動手段群に関する所定の条件を満たす場合、スポンサードルートを端末装置１０に提供することにより、ユーザの満足度の低下を抑制しつつ、課金の対象となる移動手段であるスポンサードルートをユーザに提供することができる。
【０１２０】
また、実施形態に係る提供装置１００において、提供部１３３は、検索クエリにより抽出される移動手段群にスポンサードルートが含まれる場合、スポンサードルートを端末装置１０に提供する。
【０１２１】
これにより、実施形態に係る提供装置１００は、検索クエリにより抽出される移動手段群にスポンサードルートが含まれる場合、スポンサードルートを端末装置１０に提供することにより、ユーザの満足度の低下を抑制しつつ、課金の対象となる移動手段であるスポンサードルートをユーザに提供することができる。
【０１２２】
また、実施形態に係る提供装置１００において、提供部１３３は、検索クエリにより抽出される移動手段群のうち、所定の順位以内の移動手段を含む部分移動手段群にスポンサードルートが含まれる場合、スポンサードルートを端末装置１０に提供する。
【０１２３】
これにより、実施形態に係る提供装置１００は、検索クエリにより抽出される移動手段群のうち、所定の順位以内の移動手段を含む部分移動手段群にスポンサードルートが含まれる場合、スポンサードルートを端末装置１０に提供することにより、ユーザの満足度の低下を抑制しつつ、課金の対象となる移動手段であるスポンサードルートをユーザに提供することができる。
【０１２４】
また、実施形態に係る提供装置１００において、提供部１３３は、移動区間に関して入札された入札移動手段をスポンサードルートとして提供する。
【０１２５】
これにより、実施形態に係る提供装置１００は、移動区間に関して入札された入札移動手段をスポンサードルートとして提供することにより、ユーザの満足度の低下を抑制しつつ、入札された移動手段に関する情報をユーザに提供することができる。
【０１２６】
また、実施形態に係る提供装置１００は、決定部１３２を有する。決定部１３２は、移動区間に関して入札された複数の入札移動手段のうち、各入札移動手段の入札額に基づいて、端末装置１０に提供する入札移動手段を決定する。提供部１３３は、決定部１３２により決定された入札移動手段を端末装置１０に提供する。
【０１２７】
これにより、実施形態に係る提供装置１００は、一覧において複数の移動手段とは異なる表示態様により表示される入札移動手段に関する情報を、端末装置１０に提供することにより、ユーザの満足度の低下を抑制しつつ、入札された移動手段に関する情報をユーザに提供することができる。
【０１２８】
また、実施形態に係る提供装置１００において、決定部１３２は、各入札移動手段の入札額に基づいて算出されるスコアを用いて、端末装置１０に提供する入札移動手段を決定する。
【０１２９】
これにより、実施形態に係る提供装置１００は、各入札移動手段の入札額に基づいて算出されるスコアを用いて、端末装置１０に提供する入札移動手段を決定することにより、ユーザの満足度の低下を抑制しつつ、入札された移動手段に関する情報をユーザに提供することができる。
【０１３０】
また、実施形態に係る提供装置１００は、決定部１３２を有する。取得部１３１は、ユーザが利用する端末装置１０から移動手段に関する情報要求を取得する。決定部１３２は、移動区間に関して入札されたスポンサードルート群のうち、取得部１３１により取得された情報要求に対応するスポンサードルートを決定する。
【０１３１】
これにより、実施形態に係る提供装置１００は、移動区間に関して入札されたスポンサードルート群のうち、ユーザからの情報要求に対応するスポンサードルートを決定することにより、ユーザの満足度の低下を抑制しつつ、課金の対象となる移動手段であるスポンサードルートをユーザに提供可能にすることができる。
【０１３２】
また、実施形態に係る端末装置１０は、表示部１５３を有する。表示部１５３は、所定の出発点と所定の到着点との間の移動区間に対応する複数の移動手段を所定の方向に並べた一覧において、移動区間に関して課金の対象となる移動手段であるスポンサードルートを、複数の移動手段とともに表示する。
【０１３３】
これにより、実施形態に係る端末装置１０は、所定の出発点と所定の到着点との間の移動区間に対応する複数の移動手段を所定の方向に並べた一覧において、移動区間に関して課金の対象となる移動手段であるスポンサードルートを、複数の移動手段とともに表示することにより、ユーザの満足度を低下させることなく、課金の対象となる移動手段であるスポンサードルートをユーザに提供することができる。
【０１３４】
〔９．プログラム〕
上述してきた端末装置１０による処理は、本願に係る表示プログラムにより実現される。端末装置１０に係る他の処理部も同様に、表示プログラムによる各手順が実行されることにより実現される。例えば、端末装置１０に係る表示部１５３は、端末装置１０が有するＣＰＵやＭＰＵ等によって、例えば表示プログラムがＲＡＭを作業領域として、表示プログラムに係る表示手順が実行されることにより実現される。端末装置１０に係る他の処理部も同様に、表示プログラムによる各手順が実行されることにより実現される。
【０１３５】
なお、本願に係る端末装置１０が実行する処理は、必ずしも全てが表示プログラムによって実現されるものでなくてもよい。例えば、端末装置１０外の情報等は、端末装置１０が有するＯＳ（Operating  System）によって取得されてもよい。すなわち、表示プログラム自体が、上述してきたような端末装置１０で実行される処理を実行するのではなく、ＯＳによって取得されたデータ（例えば、スポンサードルート等の移動手段等を表示するために用いるデータ）を受け取ったりすることにより、上述してきた端末装置１０の処理を実現するようにしてもよい。
【０１３６】
〔１０．ハードウェア構成〕
上述してきた実施形態に係る提供装置１００及び端末装置１０は、例えば図１１に示すような構成のコンピュータ１０００によって実現される。図１１は、提供装置及び端末装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３７】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３８】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１３９】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１４０】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４１】
例えば、コンピュータ１０００が実施形態に係る提供装置１００及び端末装置１０として機能する場合、コンピュータ１０００のＣＰＵ１１００は、ＲＡＭ１２００上にロードされたプログラムを実行することにより、制御部１３０、１５の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１４２】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１４３】
〔１１．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４５】
また、上述してきた実施形態及び変形例は、処理内容を矛盾させない範囲で適宜組み合わせることが可能である。
【０１４６】
また、上述してきた「部（section、module、unit）」は、「手段」や「回路」などに読み替えることができる。例えば、取得部は、取得手段や取得回路に読み替えることができる。
【符号の説明】
【０１４７】
１  提供システム
１００  提供装置（決定装置）
１２１  ユーザ情報記憶部
１２２  スポンサードルート情報記憶部
１３０  制御部
１３１  取得部
１３２  決定部
１３３  提供部
１０  端末装置
１５１  要求部
１５２  受信部
１５３  表示部
２０  事業者装置
５０  移動経路サービス装置
Ｎ  ネットワーク
【図１】
2018151861.tif 000003
【図２】
2018151861.tif 000004
【図３】
2018151861.tif 000005
【図４】
2018151861.tif 000006
【図５】
2018151861.tif 000007
【図６】
2018151861.tif 000008
【図７】
2018151861.tif 000009
【図８】
2018151861.tif 000010
【図９】
2018151861.tif 000011
【図１０】
2018151861.tif 000012
【図１１】
2018151861.tif 000013
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得部と、
前記取得部により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供部と、
を備えたことを特徴とする提供装置。
【請求項２】
前記取得部は、
前記ユーザが利用する端末装置により検知されるセンサ情報により捕捉される前記ユーザの当該移動手段の利用に応じて、当該事業者に課金が発生する前記スポンサードルートに関する前記スポンサードルート情報を取得する
ことを特徴とする請求項１に記載の提供装置。
【請求項３】
前記提供部は、
前記複数の移動手段とは異なる表示態様により表示される前記スポンサードルート含む前記一覧情報を、前記端末装置に提供する
ことを特徴とする請求項１または請求項２に記載の提供装置。
【請求項４】
前記取得部は、
前記端末装置から移動区間の検索クエリを取得し、
前記提供部は、
前記検索クエリに対応する前記移動区間の前記スポンサードルート含む前記一覧情報を前記端末装置に提供する
ことを特徴とする請求項１〜３のいずれか１項に記載の提供装置。
【請求項５】
前記提供部は、
前記スポンサードルートが前記検索クエリにより前記スポンサードルート情報以外の情報から抽出される移動手段群に関する所定の条件を満たす場合、前記スポンサードルート含む前記一覧情報を前記端末装置に提供する
ことを特徴とする請求項４に記載の提供装置。
【請求項６】
前記提供部は、
前記検索クエリにより抽出される移動手段群に前記スポンサードルートが含まれる場合、前記スポンサードルート含む前記一覧情報を前記端末装置に提供する
ことを特徴とする請求項５に記載の提供装置。
【請求項７】
前記提供部は、
前記検索クエリにより前記スポンサードルート情報以外の情報から抽出される移動手段群のうち、所定の順位以内の移動手段を含む部分移動手段群に前記スポンサードルートが含まれる場合、前記スポンサードルート含む前記一覧情報を前記端末装置に提供する
ことを特徴とする請求項６に記載の提供装置。
【請求項８】
前記提供部は、
前記移動区間に関して前記事業者により入札された入札移動手段である前記スポンサードルート含む前記一覧情報を提供する
ことを特徴とする請求項１〜７のいずれか１項に記載の提供装置。
【請求項９】
前記移動区間に関して入札された複数のスポンサードルートのうち、各スポンサードルートの入札額に基づいて、前記端末装置に情報提供するスポンサードルートを決定する決定部、
をさらに備え、
前記提供部は、
前記決定部により決定されたスポンサードルート含む前記一覧情報を前記端末装置に提供する
ことを特徴とする請求項８に記載の提供装置。
【請求項１０】
前記決定部は、
前記各スポンサードルートの入札額に基づいて算出されるスコアを用いて、前記端末装置に情報提供するスポンサードルートを決定する
ことを特徴とする請求項９に記載の提供装置。
【請求項１１】
コンピュータが実行する提供方法であって、
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得工程と、
前記取得工程により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供工程と、
を含むことを特徴とする提供方法。
【請求項１２】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得手順と、
前記取得手順により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供手順と、
をコンピュータに実行させることを特徴とする提供プログラム。
【請求項１３】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得部と、
前記取得部により取得されたスポンサードルート情報と、前記取得部により取得された情報要求とに基づいて、当該情報要求に対応するスポンサードルートを決定する決定部、
を備えたことを特徴とする決定装置。
【請求項１４】
前記取得部は、
前記ユーザが利用する端末装置により検知されるセンサ情報により捕捉される前記ユーザの当該移動手段の利用に応じて、当該事業者に課金が発生する前記スポンサードルートに関する前記スポンサードルート情報を取得する
ことを特徴とする請求項１３に記載の決定装置。
【請求項１５】
コンピュータが実行する決定方法であって、
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得工程と、
前記取得工程により取得されたスポンサードルート情報と、前記取得部により取得された情報要求とに基づいて、当該情報要求に対応するスポンサードルートを決定する決定工程、
を含むことを特徴とする決定方法。
【請求項１６】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得手順と、
前記取得手順により取得されたスポンサードルート情報と、前記取得部により取得された情報要求とに基づいて、当該情報要求に対応するスポンサードルートを決定する決定手順、
をコンピュータに実行させることを特徴とする決定プログラム。
【請求項１７】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートを、前記移動区間に対応する複数の移動手段であって、前記スポンサードルートとは異なる複数の移動手段とともに所定の方向に並べた一覧情報を表示する表示部、
を備えたことを特徴とする端末装置。
【請求項１８】
前記表示部は、
前記ユーザが利用する端末装置により検知されるセンサ情報により捕捉される前記ユーザの当該移動手段の利用に応じて、当該事業者に課金が発生する前記スポンサードルートを含む前記一覧情報を表示する
ことを特徴とする請求項１７に記載の端末装置。
【請求項１９】
端末装置が実行する表示方法であって、
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートを、前記移動区間に対応する複数の移動手段であって、前記スポンサードルートとは異なる複数の移動手段とともに所定の方向に並べた一覧情報を表示する表示工程と、
を含んだことを特徴とする表示方法。
【請求項２０】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートを、前記移動区間に対応する複数の移動手段であって、前記スポンサードルートとは異なる複数の移動手段とともに所定の方向に並べた一覧情報を表示する表示手順と、
を端末装置に実行させることを特徴とする表示プログラム。
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得部と、
前記取得部により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供部と、
を備えたことを特徴とする提供装置。
【請求項２】
前記取得部は、
前記ユーザが利用する端末装置により検知されるセンサ情報により捕捉される前記ユーザの当該移動手段の利用に応じて、当該事業者に課金が発生する前記スポンサードルートに関する前記スポンサードルート情報を取得する
ことを特徴とする請求項１に記載の提供装置。
【請求項３】
前記提供部は、
前記複数の移動手段とは異なる表示態様により表示される前記スポンサードルート含む前記一覧情報を、前記端末装置に提供する
ことを特徴とする請求項１または請求項２に記載の提供装置。
【請求項４】
前記取得部は、
前記端末装置から移動区間の検索クエリを取得し、
前記提供部は、
前記検索クエリに対応する前記移動区間の前記スポンサードルート含む前記一覧情報を前記端末装置に提供する
ことを特徴とする請求項１〜３のいずれか１項に記載の提供装置。
【請求項５】
前記提供部は、
前記スポンサードルートが前記検索クエリにより前記スポンサードルート情報以外の情報から抽出される移動手段群に関する所定の条件を満たす場合、前記スポンサードルート含む前記一覧情報を前記端末装置に提供する
ことを特徴とする請求項４に記載の提供装置。
【請求項６】
前記提供部は、
前記検索クエリにより抽出される移動手段群に前記スポンサードルートが含まれる場合、前記スポンサードルート含む前記一覧情報を前記端末装置に提供する
ことを特徴とする請求項５に記載の提供装置。
【請求項７】
前記提供部は、
前記検索クエリにより前記スポンサードルート情報以外の情報から抽出される移動手段群のうち、所定の順位以内の移動手段を含む部分移動手段群に前記スポンサードルートが含まれる場合、前記スポンサードルート含む前記一覧情報を前記端末装置に提供する
ことを特徴とする請求項６に記載の提供装置。
【請求項８】
前記提供部は、
前記移動区間に関して前記事業者により入札された入札移動手段である前記スポンサードルート含む前記一覧情報を提供する
ことを特徴とする請求項１〜７のいずれか１項に記載の提供装置。
【請求項９】
前記移動区間に関して入札された複数のスポンサードルートのうち、各スポンサードルートの入札額に基づいて、前記端末装置に情報提供するスポンサードルートを決定する決定部、
をさらに備え、
前記提供部は、
前記決定部により決定されたスポンサードルート含む前記一覧情報を前記端末装置に提供する
ことを特徴とする請求項８に記載の提供装置。
【請求項１０】
前記決定部は、
前記各スポンサードルートの入札額に基づいて算出されるスコアを用いて、前記端末装置に情報提供するスポンサードルートを決定する
ことを特徴とする請求項９に記載の提供装置。
【請求項１１】
コンピュータが実行する提供方法であって、
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得工程と、
前記取得工程により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供工程と、
を含むことを特徴とする提供方法。
【請求項１２】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得する取得手順と、
前記取得手順により取得されたスポンサードルート情報に基づいて、前記移動区間に対応する複数の移動手段であって、前記スポンサードルートとは異なる複数の移動手段とともに前記スポンサードルートを所定の方向に並べた一覧情報を、前記ユーザが利用する端末装置に提供する提供手順と、
をコンピュータに実行させることを特徴とする提供プログラム。
【請求項１３】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得部と、
前記取得部により取得されたスポンサードルート情報と、前記取得部により取得された情報要求とに基づいて、当該情報要求に対応するスポンサードルートを決定する決定部、
を備えたことを特徴とする決定装置。
【請求項１４】
前記取得部は、
前記ユーザが利用する端末装置により検知されるセンサ情報により捕捉される前記ユーザの当該移動手段の利用に応じて、当該事業者に課金が発生する前記スポンサードルートに関する前記スポンサードルート情報を取得する
ことを特徴とする請求項１３に記載の決定装置。
【請求項１５】
コンピュータが実行する決定方法であって、
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得工程と、
前記取得工程により取得されたスポンサードルート情報と、前記取得部により取得された情報要求とに基づいて、当該情報要求に対応するスポンサードルートを決定する決定工程、
を含むことを特徴とする決定方法。
【請求項１６】
所定の出発点と所定の到着点との間の移動区間を運行する事業者が所定の登録を行った移動手段であって、ユーザへの当該移動手段に関する情報提供に応じて、当該事業者に課金が発生する移動手段であるスポンサードルートに関するスポンサードルート情報を取得し、前記ユーザが利用する端末装置から移動手段に関する情報要求を取得する取得手順と、
前記取得手順により取得されたスポンサードルート情報と、前記取得部により取得された情報要求とに基づいて、当該情報要求に対応するスポンサードルートを決定する決定手順、
をコンピュータに実行させることを特徴とする決定プログラム。
【手続補正３】
【補正対象書類名】明細書
【補正対象項目名】０００１
【補正方法】変更
【補正の内容】
【０００１】
本発明は、提供装置、提供方法、提供プログラム、決定装置、決定方法、及び決定プログラムに関する。